Podtech/llm-jp-corpus-v4-ja_patent huggingface dataset:
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
(a)周囲温度(25℃)で固体である1種または複数の脂肪アルコールを含み、C6〜C16低級アルカン、動物、ミネラルまたは合成由来の非シリコーンオイル、周囲温度で固体である脂肪アルコール以外の脂肪アルコール、脂肪酸および/または脂肪アルコールのエステル、非シリコーンワックス、シリコーン、あるいはこれらの混合物から選択される少なくとも1種のさらなる脂肪物質を含む脂肪物質混合物を少なくとも25重量%;
(b)1種または複数の酸化剤;および
(c)任意選択で、1種または複数の塩基性化剤
を美容上許容される媒体中に含むことを特徴とする、ヒトのケラチン繊維を染色または明色化するための組成物。
【請求項２】
周囲温度で固体である1種または複数の脂肪アルコールが、8から30個の炭素原子を含む直鎖飽和アルコールから選択されることを特徴とする、請求項1に記載の組成物。
【請求項３】
周囲温度で固体である1種または複数の脂肪アルコールが、セチルアルコール、ステアリルアルコールおよびこれらの混合物から選択されることを特徴とする、請求項2に記載の組成物。
【請求項４】
固体脂肪アルコールの含量が、組成物の重量に対して、0.2と50重量%の間であることを特徴とする、請求項1から3のいずれか一項に記載の組成物。
【請求項５】
周囲温度で固体である脂肪アルコール以外の1種または複数のさらなる脂肪物質が、周囲温度および大気圧で液体またはペースト状である化合物から選択されることを特徴とする、請求項1から4のいずれか一項に記載の組成物。
【請求項６】
周囲温度で固体である脂肪アルコール以外の1種または複数の脂肪物質が、C6〜C16低級アルカン、ミネラルもしくは合成由来の非シリコーンオイル、周囲温度で固体である脂肪アルコール以外の脂肪アルコール、脂肪酸および/または脂肪アルコールのエステル、あるいはこれらの混合物から選択される、請求項1から5のいずれか一項に記載の組成物。
【請求項７】
脂肪物質混合物の全含量が、組成物の重量に対して、25から80重量%まで変化することを特徴とする、請求項1から6のいずれか一項に記載の組成物。
【請求項８】
酸化染料もしくは直接染料またはこれらの混合物から選択される1種または複数の染料を含むことを特徴とする、請求項1から7のいずれか一項に記載の組成物。
【請求項９】
酸化染料として、パラ-フェニレンジアミン、ビスフェニルアルキレンジアミン、パラ-アミノフェノール、オルト-アミノフェノール、複素環式塩基、およびこれらの付加塩から選択される1種または複数の酸化塩基を含むことを特徴とする、請求項8に記載の組成物。
【請求項１０】
メタ-フェニレンジアミン、メタ-アミノフェノール、メタ-ジフェノール、ナフタレン系カプラーおよび複素環式カプラー、さらにはこれらの付加塩から選択される1種または複数のカプラーを含むことを特徴とする、請求項9に記載の組成物。
【請求項１１】
直接染料として、イオン性もしくは非イオン性のアゾ染料;メチン染料;カルボニル染料;アジン染料;ニトロ(ヘテロ)アリール染料;トリ(ヘテロ)アリールメタン染料;ポルフィリン染料;フタロシアニン染料および天然直接染料を、単独でまたは混合物として含むことを特徴とする、請求項8に記載の組成物。
【請求項１２】
アンモニア水、アルカリ金属炭酸塩もしくは炭酸水素塩、水酸化ナトリウムもしくは水酸化カリウム、および25℃でのpKbが12未満である有機アミンから選択される1種または複数の塩基性化剤を含むことを特徴とする、請求項1から11のいずれか一項に記載の組成物。
【請求項１３】
有機アミンが、アルカノールアミンであることを特徴とする、請求項1から12のいずれか一項に記載の組成物。
【請求項１４】
有機アミンがモノエタノールアミンであることを特徴とする請求項13に記載の組成物。
【請求項１５】
有機アミンが、アルギニン、ヒスチジン、リシン、またはこれらの混合物から選択される塩基性アミノ酸であることを特徴とする、請求項12に記載の組成物。
【請求項１６】
請求項1から15のいずれか一項に記載の組成物が施用されることを特徴とする、ヒトのケラチン繊維を染色または明色化するための方法。
【請求項１７】
1つのコンパートメントに、1種または複数の脂肪物質、任意選択で、1種または複数の染料を含む第1組成物を、また別のコンパートメントに、1種または複数の酸化剤を含む第2組成物を含む、2-コンパートメントデバイスであって、第1組成物および/または第2組成物は、周囲温度で固体である少なくとも1種の脂肪アルコール、および任意選択で、1種または複数の塩基性化剤を含み、2つのコンパートメントは、ヒトのケラチン繊維に施用する直前に、請求項1から15のいずれか一項に記載の組成物を生じるように混合されることが意図されている2-コンパートメントデバイス。
【請求項１８】
1つのコンパートメントに、1種または複数の脂肪物質を含む第1組成物を、別のコンパートメントに、1種または複数の染料を含む第2組成物を、また最後のコンパートメントに、1種または複数の酸化剤を含む第3組成物を含む、3-コンパートメントデバイスであって、第1、第2および/または第3組成物は、周囲温度で固体である少なくとも1種の脂肪アルコール、および任意選択で、1種または複数の塩基性化剤を含み、3つのコンパートメントは、ヒトのケラチン繊維に施用する直前に、請求項1から15のいずれか一項に記載の組成物を生じるように混合されることが意図されている3-コンパートメントデバイス。
【請求項１９】
1つのコンパートメントに、1種または複数の脂肪物質を含む第1組成物を、別のコンパートメントに、1種または複数の塩基性化剤を含む第2組成物を、また最後のコンパートメントに、1種または複数の酸化剤を含む第3組成物を含む、3-コンパートメントデバイスであって、第1、第2および/または第3組成物は、周囲温度で固体である少なくとも1種の脂肪アルコールを含み、3つのコンパートメントは、ヒトのケラチン繊維に施用する直前に、請求項1から7および12から15のいずれか一項に記載の組成物を生じるように混合されることが意図されている3-コンパートメントデバイス。
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
直径が５〜１００ｎｍの範囲、より具体的には５０〜２５０ｎｍの範囲にある結晶性またはアモルファスの生分解セラミックコアと、
治療に有効な量の疎水性または親水性の感光剤と、
安定化剤と、を含み、
前記セラミックコアは中実または中空であり、前記コアの材料は、リン酸カルシウムまたは炭酸カルシウムからなる群の中から選ばれ、該群に含まれるリン酸カルシウムまたは炭酸カルシウム中のＣａ２＋（の一部または全部）は、Ｍｇ２＋、Ａｌ３＋またはＳｒ２＋などの他のイオンで置換されてもよく、
前記疎水性または親水性の感光剤は、テトラピロール誘導体（つまり、ポルフィリン、クロリンおよびバクテリオクロリン）、フェナジニウムおよびフェノチアジニウム色素（つまり、トルイジンブルー、メチレンブルーおよびサフラニン）、並びにキサンテン色素（つまり、エリスロシン）からなる群の中から選ばれ、
前記安定化剤は、カチオン性、非イオン性またはアニオン性の高分子（つまり、ポリスチレンスルホン酸（ＰＳＳ）、カルボキシメチルセルロース（ＣＭＣ）、ポリ（アリルアミン）塩酸塩（ＰＡＨ）、ポリエチレンイミン）からなる群の中から選ばれる、
光線力学療法に使用するためのナノ粒子医薬製剤。
【請求項２】
治療に有効な量の疎水性または親水性の感光剤を含み、
前記疎水性または親水性の感光剤は、一般的には分子ごとに１ないし４個がリン酸基で官能化されたテトラピロール誘導体である、
請求項１に記載の光線力学療法に使用するためのナノ粒子医薬製剤。
【請求項３】
治療に有効な前記感光剤の濃度は、１〜５００μＭである、
請求項１に記載のナノ粒子医薬製剤。
【請求項４】
治療に有効な前記感光剤の濃度は、１から１００μＭである、
請求項２に記載の光線力学療法に使用するためのナノ粒子医薬製剤。
【請求項５】
前記感光剤は、テモポルフィン、メチレンブルー、トルイジンブルー、サフラニンおよびエリスロシンからなる群の中から選ばれる、
請求項１に記載の光線力学療法に使用するためのナノ粒子医薬製剤。
【請求項６】
前記ナノ粒子は、標的リガンド、特に、抗体、および抗体フラグメントまたはＲＧＤペプチドに取り付けられる、
請求項１乃至５のいずれか１項に記載の光線力学療法に使用するためのナノ粒子医薬製剤。
【請求項７】
腫瘍の光線力学療法に使用する、
請求項１乃至６のいずれか１項に記載のナノ粒子医薬製剤。
【請求項８】
抗菌光線力学療法に使用する、
請求項１乃至６のいずれか１項に記載のナノ粒子医薬製剤。
【請求項９】
関節炎およびそれと同様な炎症性疾患の光線力学療法に使用する、
請求項１乃至６のいずれか１項に記載のナノ粒子医薬製剤。
【請求項１０】
歯周病の光線力学療法に使用する、
請求項１乃至６のいずれか１項に記載のナノ粒子医薬製剤。
【請求項１１】
生物学的な標的分子を前記ナノ粒子の表面に取り付けて医療用途で使用する、
請求項１または２に記載のナノ粒子医薬製剤。
【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の塩酸塩。
【請求項２】
実質的に結晶性である、請求項１に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の塩酸塩。
【請求項３】
１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の塩酸塩の結晶形態Ａ。
【請求項４】
結晶形態が、概ね２θ＝８．１°、１２．２°、１５．８°、１８．９°または１９．７°に少なくとも１つの特異ピークを示す粉末Ｘ線回折パターンを有することを特徴とする、請求項３に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の塩酸塩の結晶形態Ａ。
【請求項５】
結晶形態が、図１に示される粉末Ｘ線回折パターンと実質的に同じ粉末Ｘ線回折パターンを有することを特徴とする、請求項３または４に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の塩酸塩の結晶形態Ａ。
【請求項６】
１−（４−｛１−［（Ｅ）−４−シクロヘキシル−３−トリフルオロメチル−ベンジルオキシイミノ］−エチル｝−２−エチル−ベンジル）−アゼチジン−３−カルボン酸のリンゴ酸塩。
【請求項７】
結晶形態が、概ね２θ＝６．８°、１３．７°、１５．８°、１７．２°または２０．５°に少なくとも１つの特異ピークを示す粉末Ｘ線回折パターンを有することを特徴とする、請求項６に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸のリンゴ酸塩の結晶形態Ａ。
【請求項８】
結晶形態が、図２に示される粉末Ｘ線回折パターンと実質的に同じ粉末Ｘ線回折パターンを有することを特徴とする、請求項７に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸のリンゴ酸塩の結晶形態Ａ。
【請求項９】
１−（４−｛１−［（Ｅ）−４−シクロヘキシル−３−トリフルオロメチル−ベンジルオキシイミノ］−エチル｝−２−エチル−ベンジル）−アゼチジン−３−カルボン酸のシュウ酸塩。
【請求項１０】
結晶形態が、概ね２θ＝７．３°に少なくとも１つの特異ピークを示す粉末Ｘ線回折パターンを有することを特徴とする、請求項９に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸のシュウ酸塩の結晶形態Ａ。
【請求項１１】
結晶形態が、図３に示される粉末Ｘ線回折パターンと実質的に同じ粉末Ｘ線回折パターンを有することを特徴とする、請求項１０に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸のシュウ酸塩の結晶形態Ａ。
【請求項１２】
１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の酒石酸塩。
【請求項１３】
結晶形態が、概ね２θ＝６．８°、１３．６°または１７．９°に少なくとも１つの特異ピークを示す粉末Ｘ線回折パターンを有することを特徴とする、請求項１２に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の酒石酸塩の結晶形態Ａ。
【請求項１４】
結晶形態が、図４に示される粉末Ｘ線回折パターンと実質的に同じ粉末Ｘ線回折パターンを有することを特徴とする、請求項１３に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の酒石酸塩の結晶形態Ａ。
【請求項１５】
薬学的に許容されるアジュバント、希釈剤または担体と混合された、請求項１〜１４のいずれか１項に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の塩を含む、医薬組成物。
【請求項１６】
医薬として使用するための請求項１〜１４のいずれか１項に記載の１−（４−｛１−［（Ｅ）−４−シクロヘキシル−３−トリフルオロメチル−ベンジルオキシイミノ］−エチル｝−２−エチル−ベンジル）−アゼチジン−３−カルボン酸の塩。
【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
マイクロ構造表面を有するマイクロ構造フィルムであって、前記マイクロ構造が、有機成分と、カルボン酸末端基、及びＣ３〜Ｃ８のエステル繰り返し単位を含む化合物を含む表面処理剤で表面改質された、少なくとも１０重量％の無機ナノ粒子とを含む、重合性樹脂組成物の反応生成物を含み、
前記化合物が、一般式
【化１】
2012512273.tif 000001
（式中、
ｎの平均は、１．１〜６であり、
Ｌ１は、Ｃ１〜Ｃ８のアルキル基、アリールアルキル基、又はアリール基であり、所望により１つ以上の酸素原子又はエステル基によって置換され、
Ｌ２は、Ｃ３〜Ｃ８のアルキル基、アリールアルキル基、又はアリール基であり、所望により１つ以上の酸素原子によって置換され、
Ｙは、
【化２】
2012512273.tif 000002
であり、
Ｚは、Ｃ２〜Ｃ８のアルキル基、エーテル基、エステル基、アルコキシ基、（メタ）アクリレート基、又はこれらの組み合わせを含む、末端基である。）を有する、マイクロ構造フィルム。
【請求項２】
Ｌ２が、Ｃ６〜Ｃ８のアルキル基である、請求項１に記載のマイクロ構造フィルム。
【請求項３】
ｎの平均が、１．５〜２．５である、請求項１に記載のマイクロ構造フィルム。
【請求項４】
Ｚが、Ｃ２〜Ｃ８のアルキル基を含む、請求項１に記載のマイクロ構造フィルム。
【請求項５】
Ｚが、（メタ）アクリレート末端基を含む、請求項１に記載のマイクロ構造フィルム。
【請求項６】
前記表面処理剤が、
ｉ）少なくとも１種の脂肪族無水物と、
ｉｉ）少なくとも１種のヒドロキシポリカプロラクトン（メタ）アクリレートと、の反応生成物を含む、請求項１に記載のマイクロ構造フィルム。
【請求項７】
前記表面処理剤が、（メタ）アクリレート末端基を含む第２の化合物を更に含む、請求項１に記載のマイクロ構造フィルム。
【請求項８】
前記第２の化合物が、脂肪族無水物と、ヒドロキシルＣ２〜Ｃ８アルキル（メタ）アクリレートとの反応によって調製される、請求項７に記載のマイクロ構造フィルム。
【請求項９】
前記フィルムが、６ｍｍ未満の破壊マンドレル寸法を有する、請求項１に記載のマイクロ構造フィルム。
【請求項１０】
前記重合性樹脂組成物が、少なくとも１．６１の屈折率を有する、請求項１に記載のマイクロ構造フィルム。
【請求項１１】
前記重合性樹脂組成物が、少なくとも１．６５０の屈折率を有する、請求項１に記載のマイクロ構造フィルム。
【請求項１２】
前記有機成分が、少なくとも１種のビフェニルモノマーを含む、請求項１に記載のマイクロ構造フィルム。
【請求項１３】
前記有機成分が、少なくとも１種の二官能性エチレン性不飽和芳香族モノマーを更に含む、請求項１２に記載のマイクロ構造フィルム。
【請求項１４】
前記有機成分が、前記ビフェニルモノマーよりも低い屈折率を有する１種以上の単官能性（メタ）アクリレートモノマーを更に含む、請求項１２に記載のマイクロ構造フィルム。
【請求項１５】
前記無機ナノ粒子の量が、４０重量％〜６０重量％の範囲である、請求項１に記載のマイクロ構造フィルム。
【請求項１６】
前記無機ナノ粒子が、ジルコニアを含む、請求項１５に記載のマイクロ構造フィルム。
【請求項１７】
前記フィルムが、輝度向上フィルムである、請求項１に記載のマイクロ構造フィルム。
【請求項１８】
前記フィルムが、偏光フィルムである、請求項１に記載のマイクロ構造フィルム。
【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
常磁性標識、放射性核種又は発蛍光団から選択されるシグナルジェネレーターで標識された配列番号１、配列番号２、配列番号３、配列番号４、配列番号５、配列番号６、配列番号７、配列番号８、配列番号９又はその保存的変異体のいずれかのポリペプチドであって、ＰＤＧＦＲ−βと特異的に結合するポリペプチドを含んでなるＰＤＧＦ−Ｒβイメージング剤。
【請求項２】
前記ポリペプチドがＡ７７２細胞、Ｕ８７細胞又はＭ２３１細胞によって発現されるＰＤＧＦＲ−βに対して１０ｎＭ以上の結合親和性を有する、請求項１記載のイメージング剤。
【請求項３】
前記ポリペプチドが配列番号１、配列番号２、配列番号３、配列番号４、配列番号５、配列番号６、配列番号７、配列番号８及び配列番号９から選択される２以上のアミノ酸配列を含んでいて多価ポリペプチドを形成している、請求項１又は請求項２記載のイメージング剤。
【請求項４】
前記多価ポリペプチドが、配列同一性が９０％を超える２つの反復アミノ酸配列を含んでいて二価均質ポリペプチドを形成している、請求項３記載のイメージング剤。
【請求項５】
前記シグナルジェネレーターが放射性核種であって、フッ素、ヨウ素、テクネチウム、ガリウム及びガドリニウムから選択される、請求項１記載のイメージング剤。
【請求項６】
前記放射性核種が18Ｆ、123Ｉ又は99mＴｃである、請求項５記載のイメージング剤。
【請求項７】
前記放射性核種が18Ｆ又は123Ｉであってアミノキシリンカーを介してポリペプチドに結合している、請求項５記載のイメージング剤。
【請求項８】
前記アミノキシリンカーがポリペプチドのＮ末端に結合している、請求項７記載のイメージング剤。
【請求項９】
99mＴｃがジアミンジオキシムキレーターを介してポリペプチドに結合している、請求項６記載のイメージング剤。
【請求項１０】
前記99mＴｃがポリペプチドのＮ末端にあるジアミンジオキシムキレーターを介してポリペプチドに結合している、請求項９記載のイメージング剤。
【請求項１１】
前記シグナルジェネレーターが、157Ｇｄ、55Ｍｎ、162Ｄｙ、52Ｃｒ及び56Ｆｅから選択される常磁性標識であって、前記常磁性標識が、ＮＯＴＡ、ＤＯＴＡ及びＤＴＰＡから選択されるキレーターを介してポリペプチドに結合している、請求項１記載のイメージング剤。
【請求項１２】
前記放射性核種が153Ｇｄ、67Ｇａ、55Ｃｏ、57Ｃｏ、64Ｃｕ、67Ｃｕ、89Ｚｒ又は86Ｙからなるものであって、ＮＯＴＡ、ＤＯＴＡ及びＤＴＰＡから選択されるキレーターを介してポリペプチドに結合している、請求項１記載のイメージング剤。
【請求項１３】
哺乳動物におけるＰＤＧＦ−Ｒβ関連疾患状態のイメージングを行う方法であって、常磁性標識、放射性核種又は発蛍光団から選択されるシグナルジェネレーターで標識された配列番号１、配列番号２、配列番号３、配列番号４、配列番号５、配列番号６、配列番号７、配列番号８、配列番号９又はその保存的変異体のいずれかのポリペプチドであって、ＰＤＧＦＲ−βと特異的に結合するポリペプチドを哺乳動物中に導入する段階、該薬剤を罹患組織に移動させる段階、及び疾患状態を使用しかつ任意には疾患状態を管理しながら罹患組織のイメージングを行う段階を含んでなる方法。
【請求項１４】
前記ＰＤＧＦ−Ｒβ関連疾患状態が肝線維症、肝硬変又は肝機能異常或いはこれらの組合せである、請求項１３記載の方法。
【請求項１５】
さらに、イメージング段階の前、後又は前後に哺乳動物を処置する段階、及びその結果を用いて疾患状態を管理する段階を含む、請求項１３記載の方法。
【手続補正書】
【提出日】平成23年7月25日(2011.7.25)
【手続補正１】
【補正対象書類名】明細書
【補正対象項目名】００４３
【補正方法】変更
【補正の内容】
【００４３】
好ましくは、前記物質は、上述の20アミノ酸反復配列の少なくとも5個、少なくとも6個、少なくとも7個、少なくとも8個、または少なくとも9個の連続残基を含むペプチド（任意でグリコシル化および／または脂質付加されている）である。これはタンデムリピートであるので、どのアミノ酸が最初のものであるかの選択は、本質的に任意であることが認識される。好ましくは、ペプチドは、反復配列の少なくともDTRトリペプチドを含む。それは、例えば、PDTRP（SEQ ID NO: 1のアミノ酸13〜17）、SAPTDRP（SEQ ID NO: 1のアミノ酸11〜17）、TSAPDTRP（SEQ ID NO: 1のアミノ酸10〜17）、PDTRPAP（SEQ ID NO: 1のアミノ酸13〜19）またはTSAPDTRPAP（SEQ ID NO: 1のアミノ酸10〜19）配列を含み得る。前記物質は、1つを超えるリピートを含み得、かつ、非整数個、例えば、1 1/4個のリピートを含み得る。
【手続補正２】
【補正対象書類名】明細書
【補正対象項目名】配列表
【補正方法】追加
【補正の内容】
【配列表】
2012512260000001.app
【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
発泡ポリオレフィン組成物であって、当該組成物は（総てのパーセント量は重量を基準として）、
Ａ）  プロピレンホモポリマー、３％までのエチレンを含有するプロピレンのランダムコポリマー、６％までの少なくとも１種のＣ４−Ｃ１０α−オレフィンを含有し、場合により３％までのエチレンを含有できるプロピレンのランダムコポリマー、およびこれらのいずれかの組合せからなる群から選択されるポリプロピレン成分５０〜９０％；
Ｂ）  エチレンおよび少なくとも１種のＣ３−Ｃ１０α−オレフィンからなるコポリマー成分１０〜５０％であり、当該コポリマーは１５％〜５０％のエチレンを含有し、場合により、少量のジエンを含有でき；
前記（Ａ）および（Ｂ）の量は（Ａ）および（Ｂ）の総重量に関しており、前記発泡ポリオレフィン組成物は、下記の特徴：
ｉ）成分（Ａ）の多分散指数が４以上、および
ｉｉ）室温におけるキシレン中の可溶分の粘度［η］値が３．５ｄｌ／ｇ以上
のうちの少なくとも１つを示す、発泡ポリオレフィン組成物。
【請求項２】
前記成分（Ａ）は（総てのパーセント量は重量を基準として）：
ＡＩ）  ０．１〜１０ｇ／１０分のメルトフローレートＭＦＲＩを示すプロピレンポリマーを２５〜７５％；および
ＡＩＩ）  １００ｇ／１０分以下のメルトフローレート値ＭＦＲＩＩを示すプロピレンポリマーを２５〜７５％
含み、ＭＦＲＩＩ／ＭＦＲＩ比が５〜６０であり、プロピレンポリマー（ＡＩ）および（ＡＩＩ）は、独立して、プロピレンホモポリマー、３％までのエチレンを含有するプロピレンのランダムコポリマー、および６％までの少なくとも１種のＣ４−Ｃ１０α−オレフィンを含有し、場合により３％までのエチレンを含有できるプロピレンのランダムコポリマーからなる群から選択され；前記（ＡＩ）および（ＡＩＩ）の量は（ＡＩ）および（ＡＩＩ）の総量に関する、請求項１に記載の発泡ポリオレフィン組成物。
【請求項３】
請求項１に記載の発泡ポリオレフィン組成物を含む、ワイヤーまたはケーブル被覆物。
【請求項４】
請求項１に記載の発泡ポリオレフィン組成物を含む、ショックアブソーバー要素。
【請求項５】
請求項１に記載の発泡ポリオレフィン組成物を含む、熱絶縁体または防音体。
【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
表１に記載の°２θ値±０．２°２θの全てを基本的に有することにより特徴付けられる、（Ｓ）−３−アミノメチル−７−（３−ヒドロキシ−プロポキシ）−３Ｈ−ベンゾ［ｃ］［１，２］オキサボロール−１−オールの塩酸塩の結晶多形体。
2012512262.tif 000001
【請求項２】
Ｘ線結晶解析において、実質的に以下の値の結晶パラメーターを有する（Ｓ）−３−アミノメチル−７−（３−ヒドロキシ−プロポキシ）−３Ｈ−ベンゾ［ｃ］［１，２］オキサボロール−１−オールの塩酸塩の結晶多形体：
結晶系：斜方晶系
空間群：Ｐ２１２１２１
結晶サイズ：ａ＝９．１０４５（２）Å、ｂ＝１０．３１０７（２）Å、ｃ＝１４．５９８８（３）Å、α＝９０．００°、β＝９０．００°、γ＝９０．００°
体積：１３７０．４４（５）Å３
Ｚ、計算密度：４、１．３２６ｇｃｍ−３。
【請求項３】
（Ｓ）−３−アミノメチル−７−（３−ヒドロキシ−プロポキシ）−３Ｈ−ベンゾ［ｃ］［１，２］オキサボロール−１−オールの塩酸塩の結晶多形体であって、ラマン分光分析において実質的に以下の波数（ｃｍ−1）を有するピークの全てを有することを特徴とする、前記結晶多形体：３０７６．４、３０５４．６、２９８７．４、２９７５．５、２９５４．２、２９２８．０、２９０９．８、２８９６．０、１５７８．６、１２９８．２、１２９１．６、１２６３．０、１２２６．８、１０６８．９、および６９４．９のそれぞれ±５０波数。
【請求項４】
約２８００〜約３２００ｃｍ−1（それぞれ±５０波数）の間にピークの多重線を有し、かつ約１６００〜約６００ｃｍ−1（それぞれ±５０波数）の間に別のピークの多重線を有するが、約１８００〜約２２００ｃｍ−1（それぞれ±５０波数）の間にピークを基本的に有しない、請求項３に記載の結晶多形体。
【請求項５】
ａ）請求項１に記載の結晶多形体；および
ｂ）少なくとも１種類の賦形剤または担体
を含む医薬組成物。
【請求項６】
細菌に関連する疾病に罹患した動物を治療するための、請求項１に記載の結晶多形体を含む医薬組成物。
【請求項７】
前記細菌がグラム陰性細菌である、請求項６に記載の医薬組成物。
【請求項８】
前記細菌が、ナイセリア属の種、エシェリキア属の種、シゲラ属の種、サルモネラ属の種、エルシニア属の種、クレブシエラ属の種、プロテウス属の種、エンテロバクター属の種、セラシア属の種、ビブリオ属の種、カンピロバクター属の種、ヘリコバクター属の種、シュードモナス属の種、バクテロイデス属の種、ヘモフィルス属の種、ボルデテラ属の種、レジオネラ属の種、フランシセラ属の種、ブルセラ属の種、パスツレラ属の種、ガルドネレラ属の種、スピロヘータ属の種、クラミジア属の種、リケッチア属の種から成る群から選択される、請求項６に記載の医薬組成物。
【請求項９】
前記疾病が、髄膜炎、淋病、耳炎、外耳炎、毛嚢炎、下痢、尿路感染、敗血症(sepsis)、ＨＡＰ、菌血症、心内膜炎、胃腸炎、腸チフス、敗血症(supsis)、心内膜炎、副鼻腔炎(sinusitis)、腺ペスト、チフス、院内感染、皮膚および皮膚組織感染、肺炎、コレラ、慢性胃炎、骨髄炎、熱傷創感染、角膜感染、歯周病、えん下肺炎、喉頭蓋炎、敗血症性関節炎、軟性下疳、膣炎、百日咳、ポンティアック熱、ツラレミア、ブルセラ症、梅毒、ライム病、クラミジア、ロッキー山発疹熱、発疹チフス、気管気管支炎、遊走生肺炎、尿道炎、腎盂腎炎、腹腔内感染、発熱性好中球減少、骨盤内感染、菌血症ならびに敗血症(septicaemia)から成る群から選択される、請求項６に記載の医薬組成物。
【請求項１０】
前記疾病が肺炎である、請求項６に記載の医薬組成物。
【請求項１１】
Ｘ線結晶解析において以下の°２θ値の全てを基本的に有する（Ｓ）−３−アミノメチル−７−（３−ヒドロキシ−プロポキシ）−３Ｈ−ベンゾ［ｃ］［１，２］オキサボロール−１−オール・ＨＣｌの結晶多形体：７．８、１２．３、１４．０、２０．２、２１．３、２２．４、２３．３、２４．７、２７．６、および３２．１のそれぞれ±０．２°２θ。
【請求項１２】
Ｘ線結晶解析において以下の°２θ値の全てを基本的に有する（Ｓ）−３−アミノメチル−７−（３−ヒドロキシ−プロポキシ）−３Ｈ−ベンゾ［ｃ］［１，２］オキサボロール−１−オール・ＨＣｌの結晶多形体：６．２、８．８、９．８、１２．４、１３．９、１７．７、２２．３、２３．１、２４．３、２４．８、２６．１、２７．２、２８．０、３０．９、３２．２、および３３のそれぞれ±０．２°２θ。
【請求項１３】
（Ｓ）−３−アミノメチル−７−（３−ヒドロキシ−プロポキシ）−３Ｈ−ベンゾ［ｃ］［１，２］オキサボロール−１−オールの塩酸塩の結晶多形体であって、（Ｓ）−３−アミノメチル−７−（３−ヒドロキシ−プロポキシ）−３Ｈ−ベンゾ［ｃ］［１，２］オキサボロール−１−オール・ＨＣｌの濃度が約１１ｍｇ／ｍＬ〜約３０ｍｇ／ｍＬである（Ｓ）−３−アミノメチル−７−（３−ヒドロキシ−プロポキシ）−３Ｈ−ベンゾ［ｃ］［１，２］オキサボロール−１−オール・ＨＣｌの溶液のエバポレーションおよび／または再結晶によって製造される、前記結晶多形体。
【請求項１４】
（Ｓ）−３−アミノメチル−７−（３−ヒドロキシ−プロポキシ）−３Ｈ−ベンゾ［ｃ］［１，２］オキサボロール−１−オールの塩酸塩の結晶多形体であって、（Ｓ）−３−アミノメチル−７−（３−ヒドロキシ−プロポキシ）−３Ｈ−ベンゾ［ｃ］［１，２］オキサボロール−１−オール・ＨＣｌの濃度が約１５ｍｇ／ｍＬ〜約５０ｍｇ／ｍＬである（Ｓ）−３−アミノメチル−７−（３−ヒドロキシ−プロポキシ）−３Ｈ−ベンゾ［ｃ］［１，２］オキサボロール−１−オール・ＨＣｌの溶液のエバポレーションおよび／または再結晶によって製造される、前記結晶多形体。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
汚染を削減する方法であって、
作業スペース、床、天井、少なくとも２つのサイドパネル、及び前記床に配置された粒子濾過システムを含む塗装構造物を用意する工程と、
前記作業スペースに物品を導入する工程と、
前記物品に塗料をスプレーする工程と、
前記物品の周囲のサイドパネル又は前記天井の少なくとも１つからの空気を循環させて、粒子を運ぶ空気を生成する工程と、
前記粒子を運ぶ空気を、前記床に配置された粒子濾過システムを通して排気システムに送る工程と、
循環する空気で前記塗料を乾燥させる工程と、を含み、
前記粒子濾過システムが、
上流側表面、及び前記上流側表面の反対側の下流側表面を有する格子と、
前記格子の前記上流側表面に近接して配置された２次元プレフィルターと、
前記格子の前記下流側表面に近接して配置された粒子フィルターと、を備える、
方法。
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
基材を、ワイヤーソーを用いてスライスするための組成物であって、
（ｉ）液体担体であって、該液体担体の質量を基準として、少なくとも５０質量％の水および０．１質量％〜２０質量％のポリオールを含む液体担体、
（ｉｉ）該液体担体中に懸濁された３０質量％〜６０質量％の研磨材、および
（ｉｉｉ）０．２質量％〜１０質量％の増粘剤、
を含んでなる組成物。
【請求項２】
前記ポリオールが、グリセロール、ポリエチレングリコール、１，６−ヘキサンジオール、ペンタエリスライト、またはそれらの組み合わせからなる群から選ばれる、請求項１記載の組成物。
【請求項３】
前記ポリオールが、少なくとも２．５：１の炭素原子と酸素原子の比を有している、請求項１記載の組成物。
【請求項４】
前記組成物が、更に酸化剤を含んでいる、請求項１記載の組成物。
【請求項５】
前記増粘剤が、非イオン性ポリマーである、請求項１記載の組成物。
【請求項６】
前記研磨材が、炭化ケイ素、シリカ、アルミナおよびそれらの組み合わせからなる群から選ばれる、請求項１記載の組成物。
【請求項７】
前記組成物が、更に塩化カルシウム、硫酸アンモニウム、硝酸アルミニウム、またはそれらの組み合わせを含む、請求項１記載の組成物。
【請求項８】
基材を、ワイヤーソーを用いてスライスするための組成物であって、
（ｉ）少なくとも５０質量％の水および、一価のアルコールまたは塩から選ばれる少なくとも１種の添加剤を含む液体担体であって、該一価のアルコールは該液体担体中に０．１質量％〜２０質量％で存在し、該塩は、塩化カルシウム、硫酸アンモニウム、硝酸アルミニウムおよびそれらの組み合わせからなる群から選ばれる、液体担体、および
（ｉｉ）該液体担体中に懸濁された３０質量％〜６０質量％の研磨材、
を含んでなる組成物。
【請求項９】
前記一価のアルコールが、４個もしくは５個以上の炭素の炭素鎖を有している、請求項８記載の組成物。
【請求項１０】
前記４個もしくは５個以上の炭素の炭素鎖を有する一価のアルコールが、１−ヘキサノール、１−オクタノール、２−エチルヘキサノールまたは２−ブチル−１−オクタノールである、請求項９記載の組成物。
【請求項１１】
前記一価のアルコールが、少なくとも２．５：１の炭素原子と酸素原子の比を有している、請求項８記載の組成物。
【請求項１２】
前記組成物が、更に酸化剤を含んでいる、請求項８記載の組成物。
【請求項１３】
前記研磨材が、炭化ケイ素、シリカ、アルミナおよびそれらの組み合わせからなる群から選ばれる、請求項８記載の組成物。
【請求項１４】
前記組成物が、更に増粘剤を含む、請求項８記載の組成物。
【請求項１５】
前記増粘剤が、非イオン性ポリマーである、請求項１４記載の組成物。
【請求項１６】
基材をスライスする方法であって、
（ｉ）該基材を、請求項１〜７のいずれか１項記載の組成物と接触させる工程、
（ｉｉ）該基材と該組成物を、ワイヤーソーと接触させる工程、ならびに
（ｉｉｉ）該ワイヤーソーを、これを該組成物と接触させて、該基材に対して動かして、該基材の少なくとも一部を研削して、該基材をスライスする工程、
を含んでなる、方法。
【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
２モードのエチレンベース重合体を準備し、
２モードのエチレンベース重合体を少なくとも１００ｐｐｍの過酸化物と配合して改質ポリエチレンを製造し、
改質ポリエチレンをブロー成形フィルムに製造する、
ことを含んでなるブロー成形フィルムの製造方法であって、該２モードのエチレンベース重合体はチーグラー- ナッタ触媒系から製造され、該チーグラー- ナッタ触媒系はアルキルマグネシウム化合物をアルコールと接触させてマグネシウムジアルコキシド化合物を製造しそして該マグネシウムジアルコキシド化合物を連続的により強い塩素化剤と接触させることによって製造され、該２モードのエチレンベース重合体は少なくとも約０.９４０ｇ／ｃｃの密度を有し、該改質ポリエチレンは少なくとも２の安定性評価を示し、該重合体製品は過酸化物の不存在下で同一の方法により製造される重合体製品より少なくとも約８５％低い横方向強度を示す、ことを特徴とする方法。
【請求項２】
ブロー成形フィルムが気泡安定性において過酸化物の不存在下で同一方法により製造される重合体製品より少なくとも約１０％の増加を示す、請求項１の方法。
【請求項３】
改質ポリエチレンが少なくとも１００ｐｐｍ〜約２００ｐｐｍの過酸化物を含んでなる、請求項１の方法。
【請求項４】
エチレンベース重合体が約８０：２０〜約２０：８０の高分子量画分対低分子量画分の比を示す、請求項１の方法。
【請求項５】
請求項１の方法から製造されるブロー成形フィルム。
【請求項６】
過酸化物が有機過酸化物を含んでなる、請求項１の方法。
【請求項７】
２モードのエチレンベース重合体を１００ｐｐｍ〜１５０ｐｐｍの過酸化物と配合する、請求項１の方法。
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
エレベータ設備（１０３）の昇降路骨組（１０２）用の支柱（１２９）であって、前記支柱（１２９）が、前記昇降路骨組（１０２）の長手方向軸線にほぼ平行に延び、互いにほぼ直角に走る前記支柱（１２９）の外面に、それぞれ１つの収容部（２３６）を有し、前記収容部（２３６）が横柱（２０１）を接続するのにおよび／または前記昇降路骨組（１０２）の昇降路裏面（４０１）を接続するのに役立ち、前記収容部が、互いにほぼ直角に配向されており、その際少なくとも１つの第三の収容部（２３２）が備えられている支柱において、前記第三の収容部（２３２）が中央の収容部であり、前記中央の収容部の長手方向中心軸線（２４１）が、前記昇降路骨組（１０２）において、別の支柱（１２９）を対角線上に配置することができるように配向され、互いに反対側にある前記収容部（２３２）が、駆動軸（２０４）および／または斜材（１２７）を間接的または直接的に接続するのに役立つことを特徴とする支柱。
【請求項２】
前記少なくとも１つのガイド要素（２２０）を接続するための前記別の収容部（２３２）が前記２つの収容部（２３６）の間に設けられるか、または前記支柱（１２９）に設けられる前記中央収容部（２３２）がガイド溝として構成されることを特徴とする請求項１に記載の支柱。
【請求項３】
収容部として構成される１つ以上の溝（２３２、２３５、２３６、２３８）が、前記支柱（１２９）の壁部（２０５）の外側に突出するか、または前記壁部（２０５）に配置され、および／または前記支柱（１２９）の中空構造のプロフィール内に設けられることを特徴とする請求項１または２に記載の支柱。
【請求項４】
前記ガイド要素（２２０）が少なくとも前記中央溝（２３２）に通され、前記中央溝（２３２）が、前記支柱（１２９）の前記壁部に接続され、収容部として構成される前記２つの溝（２３６）の間に設けられ、前記ガイド要素（２２０）が、前記エレベータ設備（１０３）におよび／または前記荷重懸吊手段、特に移動プラットフォーム（２００）の運搬フレームまたは側面要素（２０２）に設けられるガイド（２２２）と相互作用することを特徴とする請求項１〜３のいずれか１項に記載の支柱。
【請求項５】
前記支柱（１２９）の前記プロフィールの断面が円形、楕円形、多角形、特に長方形になるように構成され、その際前記支柱（１２９）が押出アルミニウム中空プロフィールから製造されることを特徴とする請求項１〜４のいずれか１項に記載の支柱。
【請求項６】
前記全ての溝（２３２、２３５、２３６、２３８および５０２）が一方の側面に向かって開いており、外側にある前記２つの溝（２３６）の間に設けられる前記中央溝（２３２）が、前記ガイドレール（２２０）を収容するのに役立つことを特徴とする請求項１〜５のいずれか１項に記載の支柱。
【請求項７】
前記ガイドレール（２２０）が、前記支柱（１２９）に一体的に接続されるかまたは前記支柱（１２９）との一構造ユニットを形成することを特徴とする請求項１〜６のいずれか１項に記載の支柱。
【請求項８】
締結要素、特にねじ付きボルト（３０２）を用いて固定することができかつ横柱または無目（２０１）を接続するのに役立つ摺動ブロックおよび／または挟持片（３０３）が、１つ以上の溝（２３６）に挿入されることを特徴とする請求項１〜７のいずれか１項に記載の支柱。
【請求項９】
少なくとも１つの別の収容部、特に溝（２３８および５０２、５０３）が、前記昇降路骨組（１０２）の壁部（４０１）および／または挟持部（４０４）および／またはシール要素（４０２、４０５）を接続するために、前記支柱（１２９）および／または前記横柱または前記無目（２０１）に設けられることを特徴とする請求項１〜８のいずれか１項に記載の支柱。
【請求項１０】
別の収容部、特に溝（５０２）が２つの側面要素（２３３）によって形成され、前記２つの側面要素（２３３）が、平行に延び、前記支柱（１２９）の前記壁部（２０５）でおよび／または前記横柱または前記無目（２０１）の前記壁部で直立しており、前記収容部には少なくとも１つの挟持部（４０４）が挿入されること、および前記別の収容部、特に溝（５０２）に加えて、前記昇降路骨組（１０２）の前記壁部（４０１）および／または少なくとも１つのシール要素（４０２、４０５）、特にドライシールを接続するための、および／または前記横柱または前記無目（２０１）用の接続片（３０１）を接続するための追加の収容部（２３５）が設けられることを特徴とする請求項１〜９のいずれか１項に記載の支柱。
【請求項１１】
前記支柱（１２９）のおよび／または前記横柱または前記無目（２０１）の前記追加の収容部（２３５）が、前記別の収容部（２３８）の側面要素（２３３）と、前記支柱（１２９）におよび／または前記横柱または前記無目（２０１）に配置される直立壁部（４０１）とによって形成されることを特徴とする請求項１〜１０のいずれか１項に記載の支柱。
【請求項１２】
前記横柱または前記無目（２０１）を接続するための前記接続片（３０１）が、その一方の端部に突出部（２３９）を有し、前記突出部（２３９）が、前記追加の収容部（２３５）に正確に適合して挿入され、前記挟持片、特に摺動ブロック（３０３）、および／またはねじ付きボルトを用いて前記支柱（１２９）に締結されることを特徴とする請求項１〜１１のいずれか１項に記載の支柱。
【請求項１３】
以下、
ａ）前記壁部（２０５）が、前記支柱（１２９）のおよび／または前記昇降路骨組（１０２）の長手方向中心軸線（１０７、２４０）に平行に延びること、
ｂ）横柱（２０１）を接続するのにおよび／または前記昇降路骨組（１０２）の昇降路裏面（４０１）を接続するのに役立つそれぞれ１つの収容部（２３６）が、４５°〜１４５°の角度αにまたはほぼ直角αに延びる前記２つの壁部（２０５）に設けられること、
を特徴とする請求項１〜１２のいずれか１項に記載の支柱。
【請求項１４】
前記昇降路骨組（１０２）の前記支柱（１２９）が、前記横柱または無目（２０１）を用いて互いに接続され、その際前記ガイドレール（２２０）が鋼製であり押出成形動作中に前記第１のまたは中央の溝（２３２）に挿入され、前記支柱（１２９）との構造的に固定されたユニットを形成し、その際少なくとも２つの外側の溝（２３６）がほぼ同じ断面を有していることを特徴とする請求項１〜１３のいずれか一項に記載の支柱。
【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
ドナーから担体に血液または血液成分を運ぶように構成された第１の導管であって、前記血液または前記血液成分は、少なくとも１種の第１の成分および少なくとも１種の第２の成分を含み、前記第１の成分は免疫グロブリンを含み、前記担体は、免疫グロブリンに結合するように適合させられている、第１の導管と；
前記第１の導管からの前記血液または前記血液成分の前記第２の成分の少なくとも一部を前記ドナーに運ぶように構成された第２の導管と；
前記担体から単離された免疫グロブリン生成物を運ぶように構成された第３の導管と；
前記生成物をレシピエントに直接運ぶように構成された第４の導管と；
を含む、ドナーの血液から薬学的に許容される免疫グロブリン生成物を得るためのシステム。
【請求項２】
前記担体がＩｇＧに結合する、請求項１に記載のシステム。
【請求項３】
前記免疫グロブリンを加工するように適合されている、請求項１〜２のいずれか一項に記載のシステム。
【請求項４】
前記生成物中の前記免疫グロブリンの濃度を調節するか、前記免疫グロブリンからＩｇＧの少なくとも一部を単離するか、前記ドナーからの前記免疫グロブリンと少なくとも１名のその他のドナーからの免疫グロブリンとを組み合わせるか、前記生成物の前記免疫グロブリンを液体で再構成するか、および／または前記免疫グロブリン生成物を滅菌するように適合されている、請求項１〜３のいずれか一項に記載のシステム。
【請求項５】
結合した前記免疫グロブリンを加工するための前記システムの一部が、前記システムの別の一部とは異なる設備にある、請求項３に記載のシステム。
【請求項６】
前記加工することが、１０名未満のドナーの各々の前記免疫グロブリンをプールすることを含む、請求項３または４に記載のシステム。
【請求項７】
全血から免疫グロブリンを含む血漿を分離するための分離機をさらに備える、請求項１に記載のシステム。
【請求項８】
請求項１〜７のいずれか一項に記載のシステムを使用して、患者に注入するための免疫グロブリン生成物を作製する方法。
【請求項９】
複数のドナーの血液または血液成分から、患者に注入するための薬学的に許容される免疫グロブリン生成物を作製する方法であって、前記方法は：
担体と、免疫グロブリンを含むドナーの血液または血液成分とを接触させるステップであって、ここで、前記担体は、前記血液または前記血液成分中の免疫グロブリンに結合する、ステップ；および
前記担体から免疫グロブリンを単離して、患者へ直接注入するための薬学的に許容される免疫グロブリン生成物を取得するステップ、
を包含する、方法。
【請求項１０】
前記担体がＩｇＧに結合する、請求項９に記載の方法。
【請求項１１】
１０名以下のドナーの前記血液または前記血液成分から、免疫グロブリン生成物をプールして、患者へ直接注入するための薬学的に許容される免疫グロブリン生成物を取得するステップを包含する、請求項９〜１０のいずれか一項に記載の方法。
【請求項１２】
ドナーの全血を、免疫グロブリンを含む血漿成分と細胞成分とに分離するステップ、および前記担体と前記血漿成分とを接触させるステップをさらに包含する、請求項９〜１１のいずれか一項に記載の方法。
【請求項１３】
前記生成物中の前記免疫グロブリンの濃度を調節するステップ、前記免疫グロブリンからＩｇＧの少なくとも一部を単離するステップ、あるドナーの前記免疫グロブリン生成物と少なくとも１名のその他のドナーの免疫グロブリン生成物とを組み合わせるステップ、前記生成物の前記免疫グロブリンを液体で再構成するステップ、および／または前記免疫グロブリン生成物を滅菌するステップを包含する、請求項９〜１２のいずれか一項に記載の方法。
【請求項１４】
少なくとも、あるドナーの全ドナー血液量と実質的に等しい量のドナーの血液が、前記担体と接触させられる、請求項９〜１３のいずれか一項に記載の方法。
【請求項１５】
少なくとも６５０ミリリットルを上回る血漿を得るのに少なくとも十分な量のドナーの血液が、血漿成分と細胞成分とに分離される、請求項９〜１４のいずれか一項に記載の方法。
【請求項１６】
前記調節するステップ、前記単離するステップ、前記組み合わせるステップ、前記再構成するステップ、および／または前記滅菌するステップが、前記接触させるステップの設備とは異なる設備で行われる、請求項１３に記載の方法。
【請求項１７】
複数のドナーの血液または血液成分から、免疫グロブリン生成物を作製する方法であって、前記方法は：
献血の場所において：
ドナーの前記血液または前記血液成分と、免疫グロブリン結合担体とを接触させるステップ；および
前記担体から免疫グロブリンを単離するステップ；ならびに
前記献血の場所とは異なる製造の場所において：
単離された前記免疫グロブリンと、他のドナーから単離された免疫グロブリンとを組み合わせて、それらを加工し、患者へ注入するための薬学的に許容される免疫グロブリン生成物を提供するステップ
を包含する、方法。
【請求項１８】
前記製造の場所において、バルク充填ステップ、仕上げステップまたはパッケージングステップをさらに包含する、請求項１７に記載の方法。
【請求項１９】
前記担体がＩｇＧに結合する、請求項１７〜１８のいずれか一項に記載の方法。
【請求項２０】
前記血液または前記血液成分が、実質的に免疫グロブリン含有血漿を含む、請求項１７〜１９のいずれか一項に記載の方法。
【請求項２１】
前記薬学的に許容される免疫グロブリン生成物が、治療有効量のＩｇＧを含む容器を備える製造物品を構成する、請求項１７〜２０のいずれか一項に記載の方法。
【請求項２２】
薬学的に許容される生成物の製造に使用するための、ドナーの血漿成分から免疫グロブリン生成物を作製する方法であって、前記方法は：
ＩｇＧを含むドナーの血漿と、ＩｇＧに結合する担体とを接触させるステップ；
前記担体から結合した前記ＩｇＧを単離するステップ；
薬学的に許容される生成物を含む製造品を提供するように加工するために、単離された前記ＩｇＧを製造（ｍａｎｕｆａｃｔｕｒｅ）に移送するステップ
を包含する、方法。
【請求項２３】
ドナーの全血を、実質的にＩｇＧを含む血漿成分と細胞成分とに分離するステップをさらに包含する、請求項２２に記載の方法。
【請求項２４】
前記担体が、少なくとも１つの中空糸膜またはカラムのマトリックス上にある、請求項２２〜２３のいずれか一項に記載の方法。
【請求項２５】
前記ＩｇＧを加工して、薬学的に許容される生成物を含む製造品を提供するステップを包含する、請求項２２〜２４のいずれか一項に記載の方法。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
それぞれが開口部を有する成形された研磨粒子を含む研磨粒子であって、前記成形され
た研磨粒子のそれぞれがαアルミナを含み、厚さｔによって離隔される第１の面及び第２
の面を有する、研磨粒子。
【請求項２】
前記第１の面及び前記第２の面の外辺部が三角形を含む、請求項１に記載の研磨粒子。
【請求項３】
前記開口部が実質的に三角形を含む、請求項２に記載の研磨粒子。
【請求項４】
前記成形された研磨粒子の嵩密度が１．３５ｇ／ｃｍ３未満である、請求項１に記載の
研磨粒子。
【請求項５】
前記成形された研磨粒子が、それぞれの末端部で接合されて閉鎖多角形を形成する、複
数のバーの一体接続を含む、請求項１に記載の研磨粒子。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
それぞれが側壁を有する皿状の研磨粒子を含み、前記皿状の研磨粒子のそれぞれがαア
ルミナを含み、様々な厚さＴによって離隔される第１の面と第２の面とを有し、前記第１
の面が窪んでおり、前記皿状の研磨粒子の厚さ比Ｔｃ／Ｔｉが１．２５〜５．００である
、研磨粒子。
【請求項２】
前記第１の面が実質的に平面の中心部と複数の上向きの角部とを含む、請求項１に記載
の研磨粒子。
【請求項３】
前記第１の面が凹状である、請求項１に記載の研磨粒子。
【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
傾斜側壁をそれぞれ有する成形研磨粒子を含み、前記成形研磨粒子のそれぞれが、αアルミナを含み、厚さｔによって隔てられる第１面及び第２面を有し、
前記成形研磨粒子が、
前記第２面と前記傾斜側壁との間の、約９５度〜約１３０度の抜き勾配角α、又は
前記第１面と前記第２面との間の、前記厚さｔの約０．５〜約２倍の半径Ｒを有する前記傾斜側壁、のいずれかを更に含む、研磨粒子。
【請求項２】
前記第１面及び前記第２面の外辺部が、実質的に三角形の形状を含む、請求項１に記載の研磨粒子。
【請求項３】
前記抜き勾配角αが、約９５度〜約１２０度である、請求項２に記載の研磨粒子。
【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
それぞれが側壁を有する成形された研磨粒子を含み、前記成形された研磨粒子のそれぞれがαアルミナを含み、前記側壁によって分けられた第１の面及び第２の面を有し、並びに最大厚さＴを有し、
前記第１の面の外辺部及び前記第２の面の外辺部が三角形を含み、
前記成形された研磨粒子が前記第２の面上に複数の溝を更に含む、研磨粒子。
【請求項２】
前記複数の溝の断面形状が三角形又は切頭三角形を含む、請求項１に記載の研磨粒子。
【請求項３】
前記複数の溝のそれぞれが深さＤを含み、Ｄ／Ｔのパーセント比が約０．１〜約１０％である、請求項１又は２に記載の研磨粒子。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
複数のキャビティを有する成形型を提供する工程であって、前記複数のキャビティがポリマー表面を含む、工程と、
前記複数のキャビティをゾル−ゲルで充填する工程であって、前記ゾル−ゲルが、αアルミナに転換可能な液体中の粒子を含み、前記液体が揮発性成分を含む、工程と、
前記ゾル−ゲルが前記複数のキャビティの中にあるうちに、前記ゾル−ゲルから前記揮発性成分の少なくとも一部分を除去することによって、研磨破片、開口部を有する成形研磨粒子、及び皿型成形研磨粒子からなる群から選択されるタイプを有する、複数の前駆体成形研磨粒子を形成する工程と、を含む、方法。
【請求項２】
前記複数の前駆体成形研磨粒子が前記複数のキャビティの中にあるうちに、前記複数の前駆体成形研磨粒子の少なくとも過半数を、少なくとも２つの片に断裂させることによって、複数の断裂した前駆体成形研磨粒子を形成する工程を含む、請求項１に記載の方法。
【請求項３】
前記複数のキャビティを前記ゾル−ゲルで充填する前に、前記複数のキャビティを離型剤で処理する工程を含む、請求項１に記載の方法。